(57)【特許請求の範囲】
【請求項１】
略９０度で交わる２片の水平面状の固定部と、該固定部の交点、あるいは各固定部の途中を外方に突出した立ち上がり片と、該立ち上がり片の先端を外方に屈曲したカバー片と、該カバー片の先端を外方に屈曲した側面化粧面とから断面略コ字状に形成した嵌合溝と、立ち上がり片の先端を内方に屈曲して略９０度で交わる化粧面と、該化粧面と立ち上がり片により形成された筒状の流水路とから形成した隅部材と、垂直平面状の固定片と、該固定片の下端を外方に屈曲した載置片と、該載置片の先端を内方に屈曲した段差片と、該段差片の下端を外方に屈曲した底片と、該底片の先端を外方に屈曲した化粧片と、該化粧片の先端を外方に屈曲した側面化粧片とから断面略Ｊ字状に形成した端部材とからなり、隅部材を家屋のコーナ部分に縦に形成すると共に、乾式壁材の下端部を被覆した端部材と軒の樋が隅部材の流水路と連結されていることを特徴とする排水構造。
【発明の詳細な説明】
【０００１】
【産業上の利用分野】
本発明は内、外装材として使用する乾式壁材の端部を出隅、入隅にてカバーすると共に、一般の樋として機能し、さらに、乾式壁材の下端を被覆する端部材に入った雨水等をも流下させる樋としても機能する排水構造に関するものである。
【０００２】
【従来の技術】
従来の樋Ｄとしては、図１９に示すように、軒の樋Ｄに集まった雨水を、樋Ｄにより地面や、流水溝等に流すものであった。
【０００３】
【発明が解決しようとする課題】
しかしながら、従来の樋Ｄは外部に露出して形成され、美感性に劣ると共に、壁面から突出しているために、邪魔になるものであった。また、乾式壁材Ｃの下端部の納まりを良くするために、図２０に示すような断面略Ｊ字状に形成した端部材Ｂ（止縁）により乾式壁材Ｃの下端部を被覆した場合に、端部材Ｂの内部に雨水が浸入するために、これを排出するための流水孔ｂを端部材Ｂに形成する必要があった。さらに、端部材Ｂと乾式壁材Ｃ間にコーキング材を形成することも行われるが、万が一に浸入した雨水が端部材Ｂの中に溜まってしまい、最悪の場合には躯体内部まで雨水が浸入し、躯体を腐食してしまう危険性があった。
【０００４】
【課題を解決するための手段】
本発明はこのような欠点を除去するため、略９０度で交わる２片の水平面状の固定部と、固定部の交点、あるいは各固定部の途中を外方に突出した立ち上がり片と、立ち上がり片の先端を外方に屈曲したカバー片と、カバー片の先端を外方に屈曲した側面化粧面とから断面略コ字状に形成した嵌合溝と、立ち上がり片の先端を内方に屈曲して略９０度で交わる化粧面と、化粧面と立ち上がり片により形成された筒状の流水路とから形成した隅部材と、垂直平面状の固定片と、固定片の下端を外方に屈曲した載置片と、載置片の先端を内方に屈曲した段差片と、段差片の下端を外方に屈曲した底片と、底片の先端を外方に屈曲した化粧片と、化粧片の先端を外方に屈曲した側面化粧片とから断面略Ｊ字状に形成した端部材とからなり、隅部材を家屋のコーナ部分に縦に形成すると共に、乾式壁材の下端部を被覆した端部材および軒の樋が隅部材の流水路と連結されている排水構造とすることにより、上記欠点を排除した排水構造を提供するものである。
【０００５】
【実施例】
以下に図面を用いて本発明に係る排水構造の一実施例について詳細に説明する。すなわち、図１（ａ）、（ｂ）は本発明に係る排水構造の施工部位を示す斜視図と平面図、図２は本発明に係る排水構造を出隅に形成した一実施例を示す断面図、図３は本発明に係る排水構造を出隅に形成した場合の部材を示す断面図、図４は本発明に係る排水構造を入隅に形成した一実施例を示す断面図、図５は本発明に係る排水構造を入隅に形成した場合の部材を示す断面図、図６は本発明に係る排水構造を中間水切り部分に形成した場合の断面図である。図において、Ａは隅部材、Ｂは端部材、Ｃは乾式壁材、Ｄは樋、Ｅは水切りである。
【０００６】
隅部材Ａは図３、図５に示すように、略９０度で交わる２片の水平面状の固定部１と、固定部１の交点、あるいは各固定部１の途中（図では交点）を外方に突出した立ち上がり片２と、立ち上がり片２の先端を外方に屈曲したカバー片３と、カバー片３の先端を外方に屈曲した側面化粧面４とから断面略コ字状に形成した嵌合溝５と、立ち上がり片２の先端を内方に屈曲して略９０度で交わる化粧面６と、化粧面６と立ち上がり片２により形成された筒状の流水路７とから形成したものである。
【０００７】
固定部１は壁下地α上に固定具βにより隅部材Ａを固定する部分である。
【０００８】
カバー片３、側面化粧面４、嵌合溝５は、乾式壁材Ｃの端部を被覆し、乾式壁材Ｃの木口端部が外部に露出するのを防止し、美感性、防水性の向上、乾式壁材Ｃの端部からの吸水を防止するものである。
【０００９】
その素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したものである。
【００１０】
流水路７は、雨水を地面や、流水溝等に流すためのものである。
【００１１】
勿論、隅部材Ａ、乾式壁材Ｃ、樋Ｄ間には必要によりパッキング材を形成して防水性を強化するものである。
【００１２】
端部材Ｂは図７（ａ）に示すように、垂直平面状の固定片８と、固定片８の下端を外方に屈曲した載置片９と、載置片９の先端を内方に屈曲した段差片１０と、段差片１０の下端を外方に屈曲した底片１１と、底片１１の先端を外方に屈曲した化粧片１２と、化粧片１２の先端を外方に屈曲した側面化粧片１３とから断面略Ｊ字状に形成し、嵌合溝１４を形成したものである。
【００１３】
また、端部材Ｂの樋Ｄと連結しない端部には、図７（ｂ）、（ｃ）に示すようなキャップＢ1 、キャップＢ2 を嵌合式、あるいは接着剤を介して一体化し、連結しない方からの水漏れを防止するものである。
【００１４】
パッキング材は、隅部材Ａ、端部材Ｂ、乾式壁材Ｃと樋Ｄ間から内部に雨水が浸入しないように形成したものである。その素材としては、例えば定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材を使用しても良いものである。
【００１５】
乾式壁材Ｃの一例としては、図８に示すように表面材１５と裏面材１６間に芯材１７を形成し、両端に雄型連結部１８と雌型連結部１９を形成したものであり、図９に示すように、固定具βの打設と、雄型連結部１８と雌型連結部１９を嵌合することにより乾式壁材Ｃを連結するものである。
【００１６】
表面材１５、裏面材１６は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。
【００１７】
芯材１７は例えばポリウレタンフォーム、ポリイソシアヌレートフォーム、フェノールフォーム、塩化ビニルフォーム、ポリエチレンフォーム、ポリスチレンフォーム、ユリアフォーム、等の合成樹脂発泡体からなるものであり、例えばレゾール型フェノールの原液と、硬化剤、発泡剤を混合し、表面材１５、もしくは裏面材１６の裏面側に吐出させ、加熱して反応・発泡・硬化させて形成したものである。また、芯材１７中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、防火性を向上させることも出来る。
【００１８】
さらに詳説すると、芯材１７は主に断熱材、防火材、接着剤、補強材、緩衝材、吸音材、嵩上材、軽量化材、等として機能するものである。勿論、芯材１７としてロックウール、グラスウール、セラミックウール等の無機材を使用しても良いものである。
【００１９】
なお、隅部材Ａの樋Ｄと軒の樋Ｄを連結する部材としては、従来の図１０（ａ）〜（ｆ）に示すような樋Ｄを用いて形成するものである。勿論、連結に際しては、各部材を切断、切り欠き、屈曲、等して形成し、必要により前記した硬化型のパッキング材（コーキング材）を形成して防水性を強化するものである。
【００２０】
次に、本発明に係る排水構造の出隅部の施工方法について、図１、図２、図６、図９、図１１（ａ）、（ｂ）を用いて簡単に説明する。まず、図３に示すような隅部材Ａを固定具βを介して壁下地αに固定する。次に、図８に示すような乾式壁材Ｅを縦に図９に示すように順次連結して固定する。次に図７（ａ）に示すような端部材Ｂの端部を隅部材Ａと水漏れの無いように連結する。最後に、全ての隅部材Ａ、端部材Ｂの施工が完了したら、まだ張っていない部分に残りの乾式壁材Ｃ、役物、コーキング材を施工し、施工を完了するものである。
【００２１】
【その他の実施例】
以上説明したのは本発明に係る排水構造の一実施例にすぎず、隅部材Ａを図１２（ａ）〜（ｅ）、図１３（ａ）〜（ｂ）、乾式壁材Ｃを図１４（ａ）〜（ｆ）、図１５（ａ）〜（ｄ）（窯業系サイディング材）に示すように形成することも出来る。
【００２２】
図１６〜図１８は中間水切り、窓上、土台に形成した排水構造のその他の実施例を示す断面図である。
【００２３】
【発明の効果】
上述したように本発明に係る排水構造によれば、（１）隅部材を、出隅材、入隅材、樋として使用できる。（２）隅部材が樋として機能するために、樋が壁面より外部に突出することが無く、美感性が良く、邪魔にならない。（３）端部材に浸入した雨水を速やかに流すことが出来る。等の特徴、効果がある。
【図面の簡単な説明】
【図１】本発明に係る排水構造の施工状態を示す説明図である。
【図２】本発明に係る排水構造の施工状態を示す断面図である。
【図３】本発明に係る排水構造に使用する隅部材を示す説明図である。
【図４】本発明に係る排水構造の施工状態を示す断面図である。
【図５】本発明に係る排水構造に使用する隅部材を示す説明図である。
【図６】本発明に係る排水構造の施工状態を示す断面図である。
【図７】本発明に係る排水構造の端部材を示す説明図である。
【図８】本発明で使用する乾式壁材を示す断面図である。
【図９】本発明で使用する乾式壁材の施工状態を示す断面図である。
【図１０】汎用品の樋を示す斜視図である。
【図１１】本発明に係る排水構造を施工する乾式壁材の施工状態を示す斜視図である。
【図１２】本発明に係る排水構造に使用する隅部材のその他の実施例を示す説明図である。
【図１３】本発明に係る排水構造に使用する隅部材のその他の実施例を示す説明図である。
【図１４】本発明で使用する乾式壁材のその他の実施例示す断面図である。
【図１５】本発明で使用する乾式壁材のその他の実施例示す断面図である。
【図１６】本発明に係る排水構造のその他の実施例を示す断面図である。
【図１７】本発明に係る排水構造のその他の実施例を示す断面図である。
【図１８】本発明に係る排水構造のその他の実施例を示す断面図である。
【図１９】従来例を示す説明図である。
【図２０】従来例を示す説明図である。
【符号の説明】
Ａ  隅部材
Ｂ  端部材
Ｂ1   キャップ
Ｂ2   キャップ
Ｃ  乾式壁材
Ｄ  樋
Ｅ  水切り
α  壁下地
β  固定具
ｂ  流水孔
１  固定部
２  立ち上がり片
３  カバー片
４  側面化粧面
５  嵌合溝
６  化粧面
７  流水路
８  固定片
９  載置片
１０  段差片
１１  底片
１２  化粧片
１３  側面化粧片
１４  嵌合溝
１５  表面材
１６  裏面材
１７  芯材
１８  雄型連結部
１９  雌型連結部
【図１】
0003843339.tif 000002
【図２】
0003843339.tif 000003
【図３】
0003843339.tif 000004
【図４】
0003843339.tif 000005
【図５】
0003843339.tif 000006
【図６】
0003843339.tif 000007
【図７】
0003843339.tif 000008
【図８】
0003843339.tif 000009
【図９】
0003843339.tif 000010
【図１０】
0003843339.tif 000011
【図１１】
0003843339.tif 000012
【図１２】
0003843339.tif 000013
【図１３】
0003843339.tif 000014
【図１４】
0003843339.tif 000015
【図１５】
0003843339.tif 000016
【図１６】
0003843339.tif 000017
【図１７】
0003843339.tif 000018
【図１８】
0003843339.tif 000019
【図１９】
0003843339.tif 000020
【図２０】
0003843339.tif 000021